(57)【要約】      （修正有）【課題】建屋内の床面の一部、あるいは全部を、簡単な作業により、床面をレベル調整することにより、排水勾配を、自由にしかも簡単に行えることのできる魚貝類の育成用水槽を多数設置する建屋の床面構造を提供する。【解決手段】魚貝類の育成用水槽を多数設置する建屋内の床面Ｙであって、該床面Ｙに、耐水性を有する複数の床板本体１を敷設する。また、該各床板本体１の一部、あるいは全部の床面Ｙの排水勾配αを調整するため、各床板本体１に、床面の高さを調節可能な床面上下調節装置を設けた魚貝類の育成用水槽を多数設置する建屋の床面構造から構成される。【選択図】図４
0003170917.tif 000002
【実用新案登録請求の範囲】
【請求項１】
魚貝類の育成用水槽を多数設置する建屋（Ｘ）内の床面（Ｙ）であって、該床面（Ｙ）に、耐水性を有する複数の床板本体（１）を敷設し、該各床板本体（１）の一部、あるいは全部の床面（Ｙ）の排水勾配（α）を調整するため、各床板本体（１）に、床面の高さを調節可能な床面上下調節装置（２）を設けたことを特徴とする魚貝類の育成用水槽を多数設置する建屋の床面構造。
【請求項２】
床面（Ｙ）の排水勾配（α）を上下調節する床面上下調節装置（２）を、床板本体（１）の上方から操作可能に設けたことを特徴とする請求項１記載の魚貝類の育成用水槽を多数設置する建屋の床面構造。
【請求項３】
床面（Ｙ）の床板本体（１）は、ＦＲＰ製ハニカム構造床材（１ａ）の上面に、滑り止め加工したＦＲＰ製単板（１ｂ）を設けたことを特徴とする請求項１または２記載の魚貝類の育成用水槽を多数設置する建屋の床面構造。
【考案の詳細な説明】
【技術分野】
【０００１】
この考案は、魚貝類の育成用水槽を多数設置する建屋の床面構造に関するものである。
【背景技術】
【０００２】
従来、牡蠣等の稚貝を育成するための保温水槽は、大抵の水槽が、温度管理等の条件のもとに、建屋内に設置されており、これらの水槽は床面に多数設置されるため、堅牢に形成されなければならず、また、排水処理をするため床面の勾配（以下、排水勾配という）を自由に調整する必要もある。
【０００３】
そして、その床構造としては、２トンの保温水槽の設置ベースとして、下地を鋼製パイプを用い、これらを溶接して碁盤の目状に形成する構造体を検討したが、溶接部より錆が発生し、剥離脱落することにより強度が減退し床材として使用するのは危険であった。
【０００４】
さらに、これら保温水槽は、状況によりフロアー内で各保温水槽の設置場所を変更することがあり、これに伴って、各水槽内の水等を所定の排水枡に向けて流す必要上、床面の一部、あるいは全体の勾配を自由に調整する必要がある。
【０００５】
それに対して、床面の排水勾配を自由に調整するものは存在していないが、水槽本体を複数階となるようの床面を螺旋状に形成したものは存在している。例えば、特許文献１のように。
【先行技術文献】
【特許文献】
【０００６】
【特許文献１】特開２００２−２３３２６８号公報
【０００７】
しかしながら、本願の床面に設置する水槽内は、牡蠣等の稚貝を育成するための多数の保温水槽であって、特許文献１のような魚類の飼育水槽ではなく、さらに、飼育水槽を設置する床面に関するものではなかった。
【考案の概要】
【考案が解決しようとする課題】
【０００８】
そのため、建屋内の床面の一部、あるいは全部を、簡単な作業により、床面をレベル調整することにより、排水勾配を、自由にしかも簡単に行えることのできる魚貝類の育成用水槽を多数設置する建屋の床面構造を開発・提供することにある。
【課題を解決するための手段】
【０００９】
そこで、この考案は、貝類の育成用の保温水槽を多数設置する建屋（Ｘ）内の床面（Ｙ）であって、該床面（Ｙ）に、複数の耐水性の床板本体（１）を敷設し、これら床板本体（１）の一部、あるいは全部に、床面上下調節装置（２）を設けることにより、床面の高さを自由に調節可能にし、床面に排水勾配（α）を形成し、複数の保温水槽を設置することのできる魚貝類の育成用水槽を多数設置する建屋の床面構造とするものである。
【考案の効果】
【００１０】
この考案によると、貝類の育成用の水槽を多数設置する建屋内の床であって、床に、複数の床板本体（１）を敷設し、これら床板本体（１）の一方を上方に上げ、他方を下に向けて下げる床面上下調節装置（２）を設けたことにより、床面（Ｙ）の排水勾配（α）を簡単に調整でき、排水を容易に対処できる等の効果を奏する。
【００１１】
また、フロアーの排水勾配（α）を調整するに際して、床面（Ｙ）の上部から調整変更することが出来、その作業が極めて簡単となるという有益なる効果を奏する。
【００１２】
さらに、フロアーの床板本体（１）の素材は、ＦＲＰ製ハニカム構造床材（１ａ）であることにより、軽量で、耐水性も有し、しかも堅牢であり、表面には、滑り止め加工したＦＲＰ製単板（１ｂ）を設けたことにより作業に安全である等の極めて有益なる効果を奏するものである。
【図面の簡単な説明】
【００１３】
【図１】この考案に使用する建屋の一実施例を示す一部欠截正面図である。
【図２】この考案に使用する建屋の一実施例を示す一部欠截平面図である。
【図３】この考案に使用する床体本体の一実施例を示す一部欠截平面図である。
【図４】この考案に使用する床体本体の一実施例を示す要部拡大一部欠截正面図である。
【図５】この考案に使用する床体本体の一実施例を示す要部拡大一部欠截側面図である。
【考案を実施するための形態】
【００１４】
以下、この考案について詳細に説明する。なお、本考案においては、以下の記述に限定されるものではなく、本考案の要旨を逸脱しない範囲においては適宜変更可能である。
【実施例】
【００１５】
次に、この考案の一実施例を図面に基づいて詳述すると、魚貝類の育成用水槽を多数設置する建屋（Ｘ）内の床面（Ｙ）であって、該床面（Ｙ）に、耐水性を有する複数の床板本体（１）を敷設し、該各床板本体（１）の一部、あるいは全部の床面（Ｙ）の排水勾配（α）を調整するため、各床板本体（１）の高さを調節可能な床面上下調節装置（２）を設けたことを特徴とする魚貝類の育成用水槽を多数設置する建屋の床面構造から構成される。
【００１６】
また、床面（Ｙ）の排水勾配（α）を上下調節する床面上下調節装置（２）を、床板本体（１）の上方から操作可能に設けたことを特徴とする魚貝類の育成用水槽を多数設置する建屋の床面構造である。
【００１７】
さらに、床面（Ｙ）の床板本体（１）は、ＦＲＰ製ハニカム構造床材（１ａ）の上面に、滑り止め加工したＦＲＰ製単板（１ｂ）を設けたことを特徴とする魚貝類の育成用水槽を多数設置する建屋の床面構造である。
【００１８】
この考案の魚貝類の育成用水槽を多数設置する建屋（Ｘ）の地盤は、杭打ち工法や、土質改良剤工法等を用いて堅牢に形成されたものであることが望ましい。
【００１９】
また、床面上下調節装置（２）の具体的な一例を説明すると、先ず、床面（Ｙ）を支えるコンクリート土台（Ｚ）に、縦長の穴（Ｈ）を穿設し、該穴（Ｈ）の上部に蓋（Ａ）を設けると共に、該蓋（Ａ）にナット（Ｂ１）を溶接して設け、該ナット（Ｂ１）の上方に位置する，床板本体（１）の応当する位置にも、該床板本体（１）に固定され、断面がＣ型状の帯板（Ｃ）にナット（Ｂ２）を溶接した設け、これらナット（Ｂ１）及びナット（Ｂ１）に螺合し、前記穴（Ｈ）内に収納される長尺ボルト（Ｄ）を設け、該長尺ボルト（Ｄ）の上端は、該ボルト（Ｄ）を、治具（図示せず）を用いて、左または右方向に回転させる角型の突起（Ｅ）を設け、該突起（Ｅ）は、床板本体（１）の平面よりは、下方に位置するが、床板本体（１）の上面から治具を用いて操作できるものである。
【００２０】
床面（Ｙ）の床板本体（１）は、その一例としては、５０ｍｍ厚のＦＲＰ製のハニカム構造床材（１ａ）と、５ｍｍ厚のＦＲＰ製単板（１ｂ）からなり、該単板（１ｂ）の表面には滑り止め加工がされているものである。
【００２１】
また、建屋（Ｘ）は、杭打ち作業等で基礎が堅牢に施工された地盤の上に設けられたものが望ましく、さらに、ブレ防止の工事もされていることが望ましい。
【産業上の利用可能性】
【００２２】
この考案案よると、魚貝類の育成用水槽を多数設置する建屋の床面構造の技術を確立し、それに基づいて大量に製造・使用・販売することにより、産業上の利用可能性があるものである。
【符号の説明】
【００２３】
１  床板本体
１ａ  ＦＲＰ製のハニカム構造床材
１ｂ  ＦＲＰ製単板
２  床面上下調節装置
Ａ  蓋
Ｂ１  ナット
Ｂ２  ナット
Ｃ  断面がＣ型状の帯板
Ｄ  長尺ボルト
Ｅ  角型の突起
Ｈ  穴
Ｗ  保温水槽
Ｘ  建屋
Ｙ  床面
Ｚ  コンクリート土台
α  排水勾配
【図１】
0003170917.tif 000003
【図２】
0003170917.tif 000004
【図３】
0003170917.tif 000005
【図４】
0003170917.tif 000006
【図５】
0003170917.tif 000007